(57)【要約】【課題】電波を不要に発信してしまうことを容易に防ぐ。【解決手段】端末との間にて電波の送受信を行うための複数のアンテナ１１１−１〜１１１−ｎがそれぞれの角度の和が３６０度となる角度で無線エリア制御装置を中心としたそれぞれ異なる方向の指向性を有し、端末からの電波が受信されたアンテナ１１１−１〜１１１−ｎに接続されている送信スイッチ１１３−１〜１１３−ｎのみが送信制御部１１７によってＯＮされる。【選択図】図４
2007159023.tif 000002
【特許請求の範囲】
【請求項１】
複数のアンテナと、該アンテナとの間にて無線によって通信を行う端末への電波の送信を制御する送信制御手段とを有する無線エリア制御装置において、
前記複数のアンテナは、それぞれの角度の和が３６０度となる角度で前記無線エリア制御装置を中心としたそれぞれ異なる方向の指向性を有し、
前記送信制御手段は、前記端末からの電波が受信されたアンテナに対してのみ、該端末への電波を発信するように制御することを特徴とする無線エリア制御装置。
【請求項２】
請求項１に記載の無線エリア制御装置において、
前記複数のアンテナは、３６０度を前記アンテナの個数で割った角度で前記無線エリア制御装置を中心としたそれぞれ異なる方向の指向性を有することを特徴とする無線エリア制御装置。
【請求項３】
請求項１または請求項２に記載の無線エリア制御装置において、
前記送信制御手段は、前記アンテナが固有に有する識別番号に基づいて電波の発信を制御することを特徴とする無線エリア制御装置。
【請求項４】
複数のアンテナを有する無線エリア制御装置を用いて、前記複数のアンテナと端末との間にて電波の送受信を行って通信を行うエリアを制御する無線エリア制御方法であって、
それぞれの角度の和が３６０度となる角度で前記無線エリア制御装置を中心としたそれぞれ異なる方向を前記複数のアンテナがそれぞれ通信を行う方向とする処理と、
前記端末からの電波が受信されたアンテナに対してのみ、該端末への電波を発信するように制御する処理とを有する無線エリア制御方法。
【請求項５】
請求項４に記載の無線エリア制御方法において、
３６０度を前記アンテナの個数で割った角度で前記無線エリア制御装置を中心としたそれぞれ異なる方向を前記複数のアンテナがそれぞれ通信を行う方向とする処理を有することを特徴とする無線エリア制御方法。
【請求項６】
請求項４または請求項５に記載の無線エリア制御方法において、
前記アンテナが固有に有する識別番号に基づいて電波の発信を制御する処理を有することを特徴とする無線エリア制御方法。
【発明の詳細な説明】
【技術分野】
【０００１】
本発明は、無線によって通信を行う無線エリアを制御する無線エリア制御装置及び無線エリア制御方法に関する。
【背景技術】
【０００２】
近年、個人宅やオフィス等で無線ＬＡＮ基地局装置や小型の携帯電話基地局装置等の小型無線基地局装置が普及している。
【０００３】
これらの装置が個人宅やオフィス等に設置される場合、設置の容易さや部屋のレイアウトの関係により、窓際等に設置されることが少なくない。その場合、部屋の中でのみ必要な電波が、窓から屋外へ不要に発信されてしまい、その結果、情報漏洩等のセキュリティ上の問題や屋外の他の通信への干渉等を引き起こす可能性がある。
【０００４】
そのため、当該装置と通信を行う無線端末が存在しない方向には電波が発信されないように、装置の設置場所を適した場所に移動したり、装置に指向性を持つアンテナを設けたりして、電波の不要な発信を防ぐ方法が考えられている。
【０００５】
例えば、固定された複数の子局との間にて通信を行うために、それぞれの子局に対する指向性を持つ複数のアンテナを親局に設け、必要な子局に対してのみ親局から電波を発信して電波の不要な発信を防ぐ方法が考えられている（例えば、特許文献１参照。）
【特許文献１】特開２００３−０８７８６８号公報
【発明の開示】
【発明が解決しようとする課題】
【０００６】
しかしながら、特許文献１に記載された方法においては、基地局装置となる親局や無線端末となる子局の設置を設置する際に、それぞれの設置場所に応じて無線エリアを限定するために親局のアンテナの指向性を予め設定しなければならないという問題点がある。また、親局や子局の設置場所を変更する度に、アンテナの指向性を設定し直さなければならないという問題点がある。
【０００７】
本発明は、上述したような従来の技術が有する問題点に鑑みてなされたものであって、電波を不要に発信してしまうことを容易に防ぐことができる無線エリア制御装置及び無線エリア制御方法を提供することを目的とする。
【課題を解決するための手段】
【０００８】
上記目的を達成するために本発明は、
複数のアンテナと、該アンテナとの間にて無線によって通信を行う端末への電波の送信を制御する送信制御手段とを有する無線エリア制御装置において、
前記複数のアンテナは、それぞれの角度の和が３６０度となる角度で前記無線エリア制御装置を中心としたそれぞれ異なる方向の指向性を有し、
前記送信制御手段は、前記端末からの電波が受信されたアンテナに対してのみ、該端末への電波を発信するように制御することを特徴とする。
【０００９】
また、前記複数のアンテナは、３６０度を前記アンテナの個数で割った角度で前記無線エリア制御装置を中心としたそれぞれ異なる方向の指向性を有することを特徴とする。
【００１０】
また、前記送信制御手段は、前記アンテナが固有に有する識別番号に基づいて電波の発信を制御することを特徴とする。
【００１１】
また、複数のアンテナを有する無線エリア制御装置を用いて、前記複数のアンテナと端末との間にて電波の送受信を行って通信を行うエリアを制御する無線エリア制御方法であって、
それぞれの角度の和が３６０度となる角度で前記無線エリア制御装置を中心としたそれぞれ異なる方向を前記複数のアンテナがそれぞれ通信を行う方向とする処理と、
前記端末からの電波が受信されたアンテナに対してのみ、該端末への電波を発信するように制御する処理とを有する。
【００１２】
また、３６０度を前記アンテナの個数で割った角度で前記無線エリア制御装置を中心としたそれぞれ異なる方向を前記複数のアンテナがそれぞれ通信を行う方向とする処理を有することを特徴とする。
【００１３】
また、前記アンテナが固有に有する識別番号に基づいて電波の発信を制御する処理を有することを特徴とする。
【００１４】
上記のように構成された本発明においては、端末との間にて電波の送受信を行うための複数のアンテナが、それぞれの角度の和が３６０度となる角度で無線エリア制御装置を中心としたそれぞれ異なる方向の指向性を有し、端末からの電波が受信されたアンテナに対してのみ、当該端末への電波を発信するように制御される。
【００１５】
これにより、無線エリア制御装置をどこに設置しても、アンテナの設定を変更することなく、当該無線エリア制御装置を中心とする３６０度においては、いずれかのアンテナと端末との通信が可能となる。また、通信が可能となるアンテナを１つに限定するため、他のアンテナから電波を不要に発信することない。
【発明の効果】
【００１６】
以上説明したように本発明においては、端末との間にて電波の送受信を行うための複数のアンテナが、それぞれの角度の和が３６０度となる角度で無線エリア制御装置を中心としたそれぞれ異なる方向の指向性を有し、端末からの電波が受信されたアンテナに対してのみ、当該端末への電波を発信するように制御する構成としたため、電波を不要に発信してしまうことを容易に防ぐことができる。
【発明を実施するための最良の形態】
【００１７】
以下に、本発明の実施に形態について図面を参照して説明する。
【００１８】
図１は、本発明の無線エリア制御装置を用いた無線エリア制御システムの実施の一形態を示す図である。
【００１９】
本形態は図１に示すように、窓１０４が設けられた部屋１０５が４つの無線エリア１０３−１〜１０３−４に分けられており、部屋１０５の中には、無線エリア制御装置１０１と、無線エリア制御装置１０１と通信を行う端末１０２−１〜１０２−４とが設けられている。また、無線エリア制御装置１０１には、アンテナ１１１−１〜１１１−４が設けられている。
【００２０】
図２は、図１に示した無線エリア制御装置１０１の一構成例を示す図である。
【００２１】
図２に示すように図１に示した無線エリア制御装置１０１は、アンテナ１１１−１〜１１１−４と、アンテナ共用器１１２−１〜１１２−４と、送信スイッチ１１３−１〜１１３−４と、分配器１１４と、送信部１１５と、受信部１１６−１〜１１６−４と、送信制御部１１７とから構成されている。アンテナ１１１−１〜１１１−４は、図１に示した無線エリア１０３−１〜１０３−４に存在する端末１０２−１〜１０２−４と通信を行うために電波の送受信を行う指向性を備えたアンテナである。アンテナ共用器１１２−１〜１１２−４は、各アンテナ１１１−１〜１１１−４にそれぞれ設けられ、アンテナ１１１−１〜１１１−４がそれぞれ送信アンテナと受信アンテナとを共用するための分配合成機能を有する。送信スイッチ１１３−１〜１１３−４は、送信制御部１１７からの制御によって下り信号の出力を制御する。分配器１１４は、送信部１１５から出力される下り信号を４系統に分配する。送信部１１５は、図１に示した端末１０２−１〜１０２−４へ送信される下り信号を分配器１１４へ出力する。受信部１１６−１〜１１６−４は、アンテナ１１１−１〜１１１−４にて上り信号が受信された場合、上り信号が受信されたアンテナ１１１−１〜１１１−４がそれぞれ有する固有の番号を送信制御部１１７へ通知する。送信制御部１１７は、受信部１１６−１〜１１６−４によって通知されたアンテナ１１１−１〜１１１−４の固有の番号に応じて送信スイッチ１１３−１〜１１３−４を制御する。ここで、アンテナ１１１−１〜１１１−４は角度が９０度の放射角を有するアンテナであり、それによりそれぞれのアンテナ１１１−１〜１１１−４に対応した図１に示した無線エリア１０３−１〜１０３−４が決定される。つまり、図１に示すように、アンテナ１１１−１は無線エリア１０３−１に存在する端末との電波の送受信を行い、また、アンテナ１１１−２は無線エリア１０３−２に存在する端末との電波の送受信を行い、また、アンテナ１１１−３は無線エリア１０３−３に存在する端末との電波の送受信を行い、また、アンテナ１１１−４は無線エリア１０３−４に存在する端末との電波の送受信を行う。そして、アンテナ１１１−１〜１１１−４のすべてによって無線エリア制御装置１０１を中心とした３６０度のエリアがカバーされる。
【００２２】
以下に、図２に示した構成を有する無線エリア制御装置１０１が図１に示した無線エリア制御システムに用いられる場合の無線エリア制御方法について説明する。
【００２３】
図３は、図２に示した構成を有する無線エリア制御装置１０１が図１に示した無線エリア制御システムに用いられる場合の無線エリア制御方法を説明するためのシーケンス図である。ここでは、端末１０２−１がアンテナ１１２−２がカバーする無線エリア１０３−２内に存在し、その端末１０２−１から無線エリア制御装置１０１へ上り信号が送信される場合を例に挙げる。
【００２４】
まず、図１に示したように端末１０２−１が無線エリア１０３−２に存在しており、その端末１０２−１から上り信号が送信されると（ステップＳ１）、送信された上り信号の電波が無線エリア１０３−２の方向に放射角を有するアンテナ１１１−２にて受信される（ステップＳ２）。
【００２５】
アンテナ１１１−２にて上り信号の電波が受信されると、アンテナ共用器１１２−２にて、アンテナ１１１−２にて上り信号の電波が受信されたことが認識される（ステップＳ３）。同時に、電波が受信されたアンテナ１１１−２が固有に有する識別番号が認識される。
【００２６】
アンテナ共用器１１２−２にて認識されたアンテナ１１１−２の識別番号は、アンテナ共用器１１２−２から受信部１１６−２へ出力される（ステップＳ４）。
【００２７】
そして、アンテナ共用器１１２−２から出力されたアンテナ１１１−２の識別番号は、受信部１１６−２に入力される（ステップＳ５）。受信部１１６−２に入力されたアンテナ１１１−２の識別番号は、受信部１１６−２から送信制御部１１７へ出力される（ステップＳ６）。
【００２８】
そして、受信部１１６−２から出力されたアンテナ１１１−２の識別番号は、送信制御部１１７に入力される（ステップＳ７）。
【００２９】
送信制御部１１７にアンテナ１１１−２の識別番号が入力されると、送信制御部１１７にて、下り信号を送信すべきアンテナがアンテナ１１１−２であることが認識され、下り信号の送信を制御するための送信スイッチ１１３−１〜１１３−４の中から、アンテナ１１１−２への送信ルートである送信スイッチ１１３−２をＯＮに制御する（ステップＳ８）。
【００３０】
送信制御部１１７によって制御された送信スイッチ１１３−２にて、下り信号がアンテナ共用器１１２−２へ出力されるようにスイッチがＯＮされる（ステップＳ９）。
【００３１】
以上は、アンテナ１１２−２がカバーする無線エリア１０３−２に端末１０２−１が存在する場合について説明した。図１に示すように、アンテナ１１１−３がカバーする無線エリア１０３−３に端末１０２−２及び１０２−３が存在する場合や、アンテナ１１１−４がカバーする無線エリア１０３−４に端末１０２−４が存在する場合についても同様の処理が行われる。
【００３２】
このように、上り信号を受信した指向性を持つアンテナ１１１−１〜１１１−４の識別番号に基づいて、下り信号を送信するアンテナ１１１−１〜１１１−４の送信を制御すると、端末１０２−１〜１０２−４が存在しない無線エリア１０３−１には電波が送信されない。つまり、窓の方向である無線エリア１０３−１に端末が存在しない限り、部屋１０５の外部へ電波が不要に送信されてしまうことを防ぐことができる。
【００３３】
また、図２に示したアンテナ１１１−１〜１１１−４、アンテナ共用器１１２−１〜１１２−４、送信スイッチ１１３−１〜１１３−４、及び受信部１１６−１〜１１６−４はそれぞれ４つで構成されているが、これらの数は４つに限らない。つまり、上記の構成要素がｎ個で構成される場合は、各アンテナは３６０度をｎ等分した放射角を有するアンテナとなる。その場合の動作についても同様であり、各アンテナそれぞれがカバーする無線エリアは無線エリア制御装置１０１を中心に３６０度をｎ等分したエリアとなる。
【００３４】
図４は、図２に示した構成を有する無線エリア制御装置１０１のアンテナ１１１−１〜１１１−４、アンテナ共用器１１２−１〜１１２−４、送信スイッチ１１３−１〜１１３−４、及び受信部１１６−１〜１１６−４の個数がｎ個になった場合の構成例を示す図である。
【００３５】
本構成例は図４に示すように、アンテナ１１１−１〜１１１−ｎと、アンテナ共用器１１２−１〜１１２−ｎと、送信スイッチ１１３−１〜１１３−ｎと、分配器１１４と、送信部１１５と、受信部１１６−１〜１１６−ｎと、送信制御部１１７とから構成されている。アンテナ１１１−１〜１１１−ｎは、角度が３６０度をｎ等分した放射角を有し、無線エリア制御装置１０１を中心に３６０度をｎ等分したエリアにそれぞれ存在する端末と通信を行うために電波の送受信を行う指向性を備えたアンテナである。アンテナ共用器１１２−１〜１１２−ｎは、各アンテナ１１１−１〜１１１−ｎにそれぞれ設けられ、アンテナ１１１−１〜１１１−ｎがそれぞれ送信アンテナと受信アンテナとを共用するための分配合成機能を有する。送信スイッチ１１３−１〜１１３−ｎは、送信制御部１１７からの制御によって下り信号の出力を制御する。分配器１１４は、送信部１１５から出力される下り信号をｎ系統に分配する。送信部１１５は、端末へ送信される下り信号を分配器１１４へ出力する。受信部１１６−１〜１１６−ｎは、アンテナ１１１−１〜１１１−ｎにて上り信号が受信された場合、上り信号が受信されたアンテナ１１１−１〜１１１−ｎがそれぞれ有する固有の番号を送信制御部１１７へ通知する。送信制御部１１７は、受信部１１６−１〜１１６−ｎによって通知されたアンテナ１１１−１〜１１１−ｎの固有の番号に応じて送信スイッチ１１３−１〜１１３−ｎを制御する。
【００３６】
また、図２及び図４に示した送信制御部１１７によって送信部１１５が直接制御されることにより、図２に示した送信スイッチ１１３−１〜１１３−４及び図４に示した送信スイッチ１１３−１〜１１３−ｎを不要とすることも可能である。
【００３７】
図５は、図１に示した無線エリア制御装置１０１の他の構成例を示す図である。
【００３８】
本構成例は図５に示すように、アンテナ１１１−１〜１１１−ｎと、アンテナ共用器１１２−１〜１１２−ｎと、受信部１１６−１〜１１６−ｎと、送信部５０１−１〜５０１−ｎと、送信制御部５０２とから構成されている。アンテナ１１１−１〜１１１−ｎは、角度が３６０度をｎ等分した放射角を有し、無線エリア制御装置１０１を中心に３６０度をｎ等分したエリアにそれぞれ存在する端末と通信を行うために電波の送受信を行う指向性を備えたアンテナである。アンテナ共用器１１２−１〜１１２−ｎは、各アンテナ１１１−１〜１１１−ｎにそれぞれ設けられ、アンテナ１１１−１〜１１１−ｎがそれぞれ送信アンテナと受信アンテナとを共用するための分配合成機能を有する。受信部１１６−１〜１１６−ｎは、アンテナ１１１−１〜１１１−ｎにて上り信号が受信された場合、上り信号が受信されたアンテナ１１１−１〜１１１−ｎがそれぞれ有する固有の番号を送信制御部５０２へ通知する。送信制御部５０２は、受信部１１６−１〜１１６−ｎによって通知されたアンテナ１１１−１〜１１１−ｎの固有の番号に応じて送信部５０１−１〜５０１−ｎからの下り信号の送信を制御する。送信部５０１−１〜５０１−ｎは、送信制御部５０２の命令に従ってアンテナ共用器１１２−１〜１１２−ｎへ下り信号を出力する。
【００３９】
図２及び図４に示した構成と比較すると、図５に示した構成では、図２に示した送信スイッチ１１３−１〜１１３−４及び図４に示した送信スイッチ１１３−１〜１１３−ｎがなく、送信制御部５０２が直接送信部５０１−１〜５０１−ｎを制御している。これにより、送信すべき方向を向いているアンテナ１１１−１〜１１１−ｎに接続されている送信部５０１−１〜５０１−ｎのみから下り信号を送信することができる。
【図面の簡単な説明】
【００４０】
【図１】本発明の無線エリア制御装置を用いた無線エリア制御システムの実施の一形態を示す図である。
【図２】図１に示した無線エリア制御装置の一構成例を示す図である。
【図３】図２に示した構成を有する無線エリア制御装置が図１に示した無線エリア制御システムに用いられる場合の無線エリア制御方法を説明するためのシーケンス図である。
【図４】図２に示した構成を有する無線エリア制御装置のアンテナ、アンテナ共用器、送信スイッチ、及び受信部の個数がｎ個になった場合の構成例を示す図である。
【図５】図１に示した無線エリア制御装置の他の構成例を示す図である。
【符号の説明】
【００４１】
１０１    無線エリア制御装置
１０２−１〜１０２−４    端末
１０３−１〜１０３−４    無線エリア
１０４    窓
１０５    部屋
１１１−１〜１１１−ｎ    アンテナ
１１２−１〜１１２−ｎ    アンテナ共用器
１１３−１〜１１３−ｎ    送信スイッチ
１１４    分配器
１１５，５０１−１〜５０１−ｎ    送信部
１１６−１〜１１６−ｎ    受信部
１１７，５０２    送信制御部
【図１】
2007159023.tif 000003
【図２】
2007159023.tif 000004
【図３】
2007159023.tif 000005
【図４】
2007159023.tif 000006
【図５】
2007159023.tif 000007